(57)【要約】【課題】緊急時の着信や重要人物からの着信があったときにマナーモードが解除される携帯電話機を提供する。【解決手段】携帯電話機２０から発信され（フェーズＰ１）、マナーモードが設定された携帯電話機１０に電波Ｗが着信する（フェーズＰ２）。すると、携帯電話機１０から、マナーモードが設定されている旨及び同設定を解除するための音声キーワードの入力を要求するアナウンスが携帯電話機２０へ送信される（フェーズＰ３）。携帯電話機２０では、このアナウンスが受信され、音声キーワード（たとえば、特定人物からの緊急コールをあらわすもの）が入力されて携帯電話機１０へ送信される（フェーズＰ４）。携帯電話機１０では、送信された音声キーワードに基づいてマナーモードの設定が解除される（フェーズＰ５）。【選択図】      図２
2004282651.tif 000002
【特許請求の範囲】
【請求項１】
着信音が鳴動しないマナーモードが設定された状態で電波が着信したとき、所定の条件が満たされた場合に前記マナーモードを解除して前記着信音が鳴動する携帯電話機であって、
前記マナーモードが設定された状態で電波が着信したとき、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記着信音が鳴動する構成とされていることを特徴とする携帯電話機。
【請求項２】
前記着信音を鳴動することにより着信通知を行う鳴動部と、
前記鳴動部に対して前記着信音の鳴動を制御すると共に、前記マナーモードが設定される制御部とを備え、
前記マナーモードが設定された状態で電波が着信したとき、前記制御部が、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記鳴動部に前記着信音を鳴動させる構成とされていることを特徴とする請求項１記載の携帯電話機。
【請求項３】
前記マナーモードを解除するための第１の音声キーワードを記憶する記憶部と、
発信側から前記マナーモード解除信号として第２の音声キーワードが送信されたとき、該第２の音声キーワードを認識する音声認識部と、
前記着信音を鳴動することにより着信通知を行う鳴動部と、
認識された前記第２の音声キーワードと前記記憶部に記憶されている前記第１の音声キーワードとの一致／不一致を検出し、一致したときに正しいものと判断して前記マナーモードを解除し、前記鳴動部に前記着信音を鳴動させる制御部とを備えてなることを特徴とする請求項１記載の携帯電話機。
【請求項４】
前記マナーモード解除信号は、暗証番号で構成され、該暗証番号は、発信者毎に個別に設定されていることを特徴とする請求項１又は２記載の携帯電話機。
【請求項５】
前記マナーモードを解除するための第１の暗証番号を記憶する記憶部と、
発信側から前記マナーモードの解除を要求するための第２の暗証番号が電子メールで送信されたとき、該第２の暗証番号を認識する通信制御部と、
前記着信音を鳴動することにより着信通知を行う鳴動部と、
認識された前記第２の暗証番号と前記記憶部に記憶されている前記第１の暗証番号との一致／不一致を検出し、一致したときに正しいものと判断して前記マナーモードを解除し、前記鳴動部に前記着信音を鳴動させる制御部とを備え、かつ、
前記第１及び第２の暗証番号は、
発信者毎に個別に設定されていることを特徴とする請求項４記載の携帯電話機。
【請求項６】
前記マナーモードの解除の可／不可は、
前記発信者毎に個別に設定されていることを特徴とする請求項４又は５記載の携帯電話機。
【請求項７】
前記マナーモードの解除の可／不可は、
前記発信者毎に優先順位が設定されていることを特徴とする請求項４、５又は６記載の携帯電話機。
【請求項８】
ユーザの不在時に前記着信があった場合、又は未読メールがある場合、この旨をあらかじめ設定された周期でユーザに通知する構成とされていることを特徴とする請求項１乃至７のうちの一に記載の携帯電話機。
【請求項９】
請求項８記載の携帯電話機において、
前記着信音を鳴動させることにより、前記ユーザに通知する構成とされていることを特徴とする携帯電話機。
【請求項１０】
着信音が鳴動しないマナーモードが設定された状態で電波が着信したとき、所定の条件が満たされた場合に前記マナーモードを解除して前記着信音が鳴動する携帯電話機に用いられ、
前記マナーモードが設定された状態で電波が着信したとき、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記着信音が鳴動することを特徴とするマナーモード解除方法。
【請求項１１】
請求項１０記載のマナーモード解除方法において、
前記着信音を鳴動することにより着信通知を行う鳴動部と、前記鳴動部に対して前記着信音の鳴動を制御すると共に、前記マナーモードが設定される制御部とを設けておき、
前記マナーモードが設定された状態で電波が着信したとき、前記制御部が、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記鳴動部に前記着信音を鳴動させる構成とされていることを特徴とする請求項１０記載のマナーモード解除方法。
【請求項１２】
前記マナーモードを解除するための第１の音声キーワードを記憶する記憶部を設けておき、
発信側から前記マナーモード解除信号として第２の音声キーワードが送信されたとき、該第２の音声キーワードを認識する音声認識処理と、
認識された前記第２の音声キーワードと前記記憶部に記憶されている前記第１の音声キーワードとの一致／不一致を検出し、一致したときに正しいものと判断して前記マナーモードを解除し、前記鳴動部に前記着信音を鳴動させる鳴動処理とを行うことを特徴とする請求項１０記載のマナーモード解除方法。
【請求項１３】
前記マナーモード解除信号は、暗証番号で構成され、該暗証番号は、発信者毎に個別に設定されていることを特徴とする請求項１０又は１１記載のマナーモード解除方法。
【請求項１４】
前記マナーモードを解除するための第１の暗証番号を記憶する記憶部を設けておき、
発信側から前記マナーモードの解除を要求するための第２の暗証番号が電子メールで送信されたとき、該第２の暗証番号を認識する暗証番号認識処理と、
認識された前記第２の暗証番号と前記記憶部に記憶されている前記第１の暗証番号との一致／不一致を検出し、一致したときに正しいものと判断して前記マナーモードを解除し、前記鳴動部に前記着信音を鳴動させる鳴動処理とを行い、かつ、
前記第１及び第２の暗証番号は、
発信者毎に個別に設定されていることを特徴とする請求項１３記載のマナーモード解除方法。
【請求項１５】
前記マナーモードの解除の可／不可は、
前記発信者毎に個別に設定されていることを特徴とする請求項１３又は１４記載のマナーモード解除方法。
【請求項１６】
前記マナーモードの解除の可／不可は、
前記発信者毎に優先順位が設定されていることを特徴とする請求項１３、１４又は１５記載のマナーモード解除方法。
【請求項１７】
ユーザの不在時に前記着信があった場合、又は未読メールがある場合、この旨をあらかじめ設定された周期でユーザに通知することを特徴とする請求項１０乃至１６のうちの一に記載のマナーモード解除方法。
【請求項１８】
請求項１７記載のマナーモード解除方法において、
前記着信音を鳴動させることにより、前記ユーザに通知することを特徴とするマナーモード解除方法。
【請求項１９】
コンピュータに請求項１乃至９のうちの一に記載の携帯電話機を制御させるためのマナーモード解除制御プログラム。
【発明の詳細な説明】
【０００１】
【発明の属する技術分野】
この発明は、携帯電話機、該携帯電話機に用いられるマナーモード解除方法及びマナーモード解除制御プログラムに係り、特に、緊急時の着信や重要人物からの着信がある場合に用いて好適な携帯電話機、該携帯電話機に用いられるマナーモード解除方法及びマナーモード解除制御プログラムに関する。
【０００２】
【従来の技術】
ユーザが携帯電話機を携行する場合、たとえば映画館などの公共の場所や電車内では、着信音が鳴動しないようにするためのマナーモードの設定が要求される。そして、マナーモードの設定時では、バイブレーション機能が有効になり、振動により着信が通知される。ところが、携帯電話機が、たとえば鞄など、ユーザの体に密着しにくい場所に収納されている場合、ユーザが振動に気付かないことがあり、着信が認識されず、重要な電話を逃してしまうという問題がある。この問題を解決するために、着信側のマナーモード設定を発信者側からも解除できるようにした携帯電話機が提案されている。
【０００３】
この種の技術は、従来では、たとえば、次のような文献に記載されたものがある。
特許文献１に記載された携帯電話端末機器では、マナーモード強制解除コール回数や連続呼出回数の条件が予め設定され、同条件が満たされたとき、強制的にマナーモードが解除される。このため、マナーモード設定状態でユーザが携帯電話端末機器を置き忘れた場合に、発信者側からマナーモードが解除され、着信音が鳴動する。
【０００４】
特許文献２に記載された携帯電話機では、マナーモードに設定された状態で着信があり、所定時間の経過の後になお着信状態であるとき、強制的にマナーモードが解除される。また、発信者から暗証番号が入力され、同暗証番号が正しいとき、強制的にマナーモードが解除される。
【０００５】
特許文献３に記載された通信端末装置では、着信信号から暗証番号が検出され、同暗証番号が正しいとき、強制的にマナーモードが解除される。
【０００６】
【特許文献１】
特開２００２−１２５００９号公報（第１頁、図３）
【特許文献２】
特開２０００−０３２１２５号公報（第１頁、図３、図６）
【特許文献３】
特開平０９−０８３６３７号公報（第１頁）
【０００７】
【発明が解決しようとする課題】
しかしながら、上記特許文献１に記載された携帯電話端末機器では、次のような問題点があった。
すなわち、特許文献１に記載された携帯電話端末機器では、着信者側の状態が考慮されていないため、緊急事態ではない状況下においてもマナーモード設定状態が解除され、着信音が鳴動するという問題点がある。
【０００８】
また、特許文献２に記載された携帯電話機では、発信者から入力される暗証番号は、１つに固定されているものであり、発信者毎に異なるものではないため、発信者が特に重要人物ではない場合や緊急時ではない場合であってもマナーモード設定状態が解除されてしまうという問題点がある。また、特許文献３に記載された通信端末装置でも、特許文献２の携帯電話機と同様の問題点がある。
【０００９】
この発明は、上述の事情に鑑みてなされたもので、緊急時の着信や重要人物からの着信があったときにマナーモードが解除される携帯電話機、該携帯電話機に用いられるマナーモード解除方法及びマナーモード解除制御プログラムを提供することを目的としている。
【００１０】
【課題を解決するための手段】
上記課題を解決するために、請求項１記載の発明は、着信音が鳴動しないマナーモードが設定された状態で電波が着信したとき、所定の条件が満たされた場合に前記マナーモードを解除して前記着信音が鳴動する携帯電話機に係り、前記マナーモードが設定された状態で電波が着信したとき、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記着信音が鳴動する構成とされていることを特徴としている。
【００１１】
請求項２記載の発明は、請求項１記載の携帯電話機に係り、前記着信音を鳴動することにより着信通知を行う鳴動部と、前記鳴動部に対して前記着信音の鳴動を制御すると共に、前記マナーモードが設定される制御部とを備え、前記マナーモードが設定された状態で電波が着信したとき、前記制御部が、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記鳴動部に前記着信音を鳴動させる構成とされていることを特徴としている。
【００１２】
請求項３記載の発明は、請求項１記載の携帯電話機に係り、前記マナーモードを解除するための第１の音声キーワードを記憶する記憶部と、発信側から前記マナーモード解除信号として第２の音声キーワードが送信されたとき、該第２の音声キーワードを認識する音声認識部と、前記着信音を鳴動することにより着信通知を行う鳴動部と、認識された前記第２の音声キーワードと前記記憶部に記憶されている前記第１の音声キーワードとの一致／不一致を検出し、一致したときに正しいものと判断して前記マナーモードを解除し、前記鳴動部に前記着信音を鳴動させる制御部とを備えてなることを特徴としている。
【００１３】
請求項４記載の発明は、請求項１又は２記載の携帯電話機に係り、前記マナーモード解除信号は、暗証番号で構成され、該暗証番号は、発信者毎に個別に設定されていることを特徴としている。
【００１４】
請求項５記載の発明は、請求項４記載の携帯電話機に係り、前記マナーモードを解除するための第１の暗証番号を記憶する記憶部と、発信側から前記マナーモードの解除を要求するための第２の暗証番号が電子メールで送信されたとき、該第２の暗証番号を認識する通信制御部と、前記着信音を鳴動することにより着信通知を行う鳴動部と、認識された前記第２の暗証番号と前記記憶部に記憶されている前記第１の暗証番号との一致／不一致を検出し、一致したときに正しいものと判断して前記マナーモードを解除し、前記鳴動部に前記着信音を鳴動させる制御部とを備え、かつ、前記第１及び第２の暗証番号は、発信者毎に個別に設定されていることを特徴としている。
【００１５】
請求項６記載の発明は、請求項４又は５記載の携帯電話機に係り、前記マナーモードの解除の可／不可は、前記発信者毎に個別に設定されていることを特徴としている。
【００１６】
請求項７記載の発明は、請求項４、５又は６記載の携帯電話機に係り、前記マナーモードの解除の可／不可は、前記発信者毎に優先順位が設定されていることを特徴としている。
【００１７】
請求項８記載の発明は、請求項１乃至７のうちの一に記載の携帯電話機に係り、ユーザの不在時に前記着信があった場合、又は未読メールがある場合、この旨をあらかじめ設定された周期でユーザに通知する構成とされていることを特徴としている。
【００１８】
請求項９記載の発明は、請求項８記載の携帯電話機に係り、前記着信音を鳴動させることにより、前記ユーザに通知する構成とされていることを特徴としている。
【００１９】
請求項１０記載の発明は、マナーモード解除方法に係り、着信音が鳴動しないマナーモードが設定された状態で電波が着信したとき、所定の条件が満たされた場合に前記マナーモードを解除して前記着信音が鳴動する携帯電話機に用いられ、前記マナーモードが設定された状態で電波が着信したとき、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記着信音が鳴動することを特徴としている。
【００２０】
請求項１１記載の発明は、請求項１０記載のマナーモード解除方法に係り、前記着信音を鳴動することにより着信通知を行う鳴動部と、前記鳴動部に対して前記着信音の鳴動を制御すると共に、前記マナーモードが設定される制御部とを設けておき、前記マナーモードが設定された状態で電波が着信したとき、前記制御部が、前記マナーモードが設定されている旨を発信側に通知し、該発信側から前記マナーモードを解除するためのマナーモード解除信号が送信されたとき、該マナーモード解除信号の正誤を判定し、正しいときに前記マナーモードを解除して前記鳴動部に前記着信音を鳴動させる構成とされていることを特徴としている。
【００２１】
請求項１２記載の発明は、請求項１０記載のマナーモード解除方法に係り、前記マナーモードを解除するための第１の音声キーワードを記憶する記憶部を設けておき、発信側から前記マナーモード解除信号として第２の音声キーワードが送信されたとき、該第２の音声キーワードを認識する音声認識処理と、認識された前記第２の音声キーワードと前記記憶部に記憶されている前記第１の音声キーワードとの一致／不一致を検出し、一致したときに正しいものと判断して前記マナーモードを解除し、前記鳴動部に前記着信音を鳴動させる鳴動処理とを行うことを特徴としている。
【００２２】
請求項１３記載の発明は、請求項１０又は１１記載のマナーモード解除方法に係り、前記マナーモード解除信号は、暗証番号で構成され、該暗証番号は、発信者毎に個別に設定されていることを特徴としている。
【００２３】
請求項１４記載の発明は、請求項１３記載のマナーモード解除方法に係り、前記マナーモードを解除するための第１の暗証番号を記憶する記憶部を設けておき、発信側から前記マナーモードの解除を要求するための第２の暗証番号が電子メールで送信されたとき、該第２の暗証番号を認識する暗証番号認識処理と、認識された前記第２の暗証番号と前記記憶部に記憶されている前記第１の暗証番号との一致／不一致を検出し、一致したときに正しいものと判断して前記マナーモードを解除し、前記鳴動部に前記着信音を鳴動させる鳴動処理とを行い、かつ、前記第１及び第２の暗証番号は、発信者毎に個別に設定されていることを特徴としている。
【００２４】
請求項１５記載の発明は、請求項１３又は１４記載のマナーモード解除方法に係り、前記マナーモードの解除の可／不可は、前記発信者毎に個別に設定されていることを特徴としている。
【００２５】
請求項１６記載の発明は、請求項１３、１４又は１５記載のマナーモード解除方法に係り、前記マナーモードの解除の可／不可は、前記発信者毎に優先順位が設定されていることを特徴としている。
【００２６】
請求項１７記載の発明は、請求項１０乃至１６のうちの一に記載のマナーモード解除方法に係り、ユーザの不在時に前記着信があった場合、又は未読メールがある場合、この旨をあらかじめ設定された周期でユーザに通知することを特徴としている。
【００２７】
請求項１８記載の発明は、請求項１７記載のマナーモード解除方法に係り、前記着信音を鳴動させることにより、前記ユーザに通知することを特徴としている。
【００２８】
請求項１９記載の発明は、マナーモード解除制御プログラムに係り、コンピュータに請求項１乃至９のうちの一に記載の携帯電話機を制御させることを特徴としている。
【００２９】
【発明の実施の形態】
以下、図面を参照して、この発明の実施の形態について説明する。
第１の実施形態
図１は、この発明の第１の実施形態である携帯電話機の電気的構成を示すブロック図である。
この形態の携帯電話機１０は、着信音が鳴動しないマナーモードが設定された状態で電波が着信したとき、所定の条件が満たされた場合に同マナーモードを解除して同着信音が鳴動するものであり、同図に示すように、アンテナ１１と、無線部１２と、音声通話制御部１３と、音声認識部１４と、メモリ１５と、スピーカ１６と、制御部１７とから構成されている。
【００３０】
アンテナ１１は、図示しない無線基地局との間で電波Ｗを送受信する。無線部１２は、アンテナ１１を介して無線データの送受信処理を行い、同無線データの変復調などを行う。音声通話制御部１３は、音声通話全般を制御する。音声認識部１４は、発信側からマナーモードの解除を要求するための第２の音声キーワード（マナーモード解除信号）が送信されたとき、同第２の音声キーワードを認識する。メモリ１５は、たとえば、ＲＡＭ（Ｒａｎｄａｍ  Ａｃｃｅｓｓ  Ｍｅｍｏｒｙ）などで構成され、コール数、電話帳、音声メモ情報などの各種設定条件を記憶する他、特に、この実施形態では、マナーモードを解除するための第１の音声キーワードを記憶する。スピーカ１６は、着信音を鳴動することにより着信通知を行うと共に、ユーザに通話時の音声を伝える。
【００３１】
制御部１７は、ＣＰＵ（中央処理装置）１７ａ、及び同ＣＰＵ１７ａに携帯電話機１０を制御させるためのマナーモード解除制御プログラムが記録されたＲＯＭ（Ｒｅａｄ  Ｏｎｌｙ  Ｍｅｍｏｒｙ）１７ｂを有している。この制御部１７は、スピーカ１６に対して着信音の鳴動を制御すると共に、マナーモードが設定され、同マナーモードが設定された状態で電波Ｗが着信したとき、同マナーモードが設定されている旨を発信側に通知し、同発信側から同マナーモードを解除するための音声キーワードが送信されたとき、同音声キーワードの正誤を判定し、正しいときに同マナーモードを解除してスピーカ１６に着信音を鳴動させる。この場合、制御部１７は、音声認識部１４で認識された第２の音声キーワードとメモリ１５に記憶されている第１の音声キーワードとの一致／不一致を検出し、一致したときに正しいものと判断してマナーモードを解除する。また、制御部１７は、ユーザの不在時に着信があった場合、又は未読メールがある場合、この旨をあらかじめ設定された周期でユーザに通知（たとえば、着信音を鳴動）する。
【００３２】
図２は、図１の携帯電話機１０を着信側とし、同携帯電話機１０と発信側の携帯電話機２０との間のやりとりを示すシーケンス図、及び図３が携帯電話機１０の動作を説明するためのフローチャートである。
これらの図を参照して、この形態の携帯電話機に用いられるマナーモード解除方法の処理内容について説明する。
図２に示すように、携帯電話機２０から発信され（フェーズＰ１）、マナーモードが設定された携帯電話機１０に電波Ｗが着信する（フェーズＰ２）。すると、携帯電話機１０から、マナーモードが設定されている旨及び同設定を解除するための音声キーワードの入力を要求するアナウンスが携帯電話機２０へ送信される（フェーズＰ３）。携帯電話機２０では、このアナウンスが受信され、前記音声キーワード（たとえば、特定人物からの緊急コールをあらわすもの）が入力されて携帯電話機１０へ送信される（フェーズＰ４）。携帯電話機１０では、送信された音声キーワードに基づいてマナーモードの設定が解除される（フェーズＰ５）。
【００３３】
上記図２に示すやりとりにおいて、携帯電話機１０では、図３に示すように、マナーモードが設定された状態で着信が発生すると、制御部１７において、予め設定されたコール数や携帯電話機２０の電話番号などの条件がメモリ１５から読み出され、同発信側が図２中のフェーズＰ３におけるアナウンスの送信条件を満たしているか否かが判定される（ステップＡ１）。ここで、アナウンスの送信条件が満たされていない場合は、マナーモード解除処理が終了され、引き続き、マナーモード設定状態が継続される（マナーモード再設定状態）。一方、アナウンスの送信条件が満たされている場合は、携帯電話機１０から携帯電話機２０へ定型の伝言メッセージ（たとえば、「緊急であれば、所定の音声キーワードを入力して下さい」など）を自動発信することにより、マナーモード設定状態である旨の通知とマナーモード解除用の音声キーワードの送信を促すアナウンスが行われる（ステップＡ２）。
【００３４】
そして、携帯電話機２０からマナーモードの解除を要求するための音声キーワード（第２の音声キーワード）が送信されたとき、音声認識部１４で同音声キーワードが認識され（音声認識処理）、制御部１７で同音声キーワードの正誤の判定が行われる（ステップＡ３）。この場合、認識された第２の音声キーワードとメモリ１５に記憶されている第１の音声キーワードとの一致／不一致が検出され、一致したときにマナーモードが解除されてスピーカ１６で着信音の鳴動が開始する（ステップＡ４、鳴動処理）。
【００３５】
ここで、音声キーワードが一致しない場合は、ステップＡ２に戻り、携帯電話機２０へ伝言メッセージが発信され、音声キーワードの送信が再度要求される。また、予め設定された回数以上音声キーワードの不一致が発生した場合（ステップＡ３）、マナーモード解除処理が終了され、引き続き、マナーモード設定状態が継続される（マナーモード再設定状態）。着信音の鳴動は、携帯電話機１０におけるキー操作又は予め設定されたコール数よりも超過したときに停止される（ステップＡ５）。そして、着信音が停止した後、再びマナーモード設定状態に戻り、マナーモード解除処理が終了する。また、ユーザの不在時に着信があった場合、又は未読メールがある場合、制御部１７の指令により、スピーカ１６で着信音が鳴動する。
【００３６】
以上のように、この第１の実施形態では、発信側の携帯電話機２０に対して着信側の携帯電話機１０からマナーモード設定状態である旨が送信され、同携帯電話機２０からマナーモード解除用の音声キーワードが送信されてマナーモードが解除されるので、発信側が特定人物で緊急の場合にのみ着信音が鳴動し、マナーモードが設定されているために重要な電話を逃してしまうという問題点が解消される。また、ユーザの不在時に着信があった場合、又は未読メールがある場合、着信音が鳴動するので、重要な着信を逃してしまうという問題点が解消される。
【００３７】
第２の実施形態
図４は、この発明の第２の実施形態である携帯電話機の電気的構成を示すブロック図であり、第１の実施形態を示す図１中の要素と共通の要素には共通の符号が付されている。
この形態の携帯電話機１０Ａでは、図１中の無線部１２、メモリ１５及び制御部１７に代えて、異なる機能を有する無線部１２Ａ、メモリ１５Ａ及び制御部１７Ａが設けられ、また、音声認識部１４に代えて、データ通信制御部１８が設けられている。無線部１２Ａは、無線部１２の機能に加え、特に、この実施形態では、電子メールの送受信処理を行う。
【００３８】
データ通信制御部１８は、無線部１２Ａとの間で電子メールなどのデータ通信全般を制御する他、特に、この実施形態では、発信側からマナーモードの解除を要求するための第２の暗証番号（マナーモード解除信号）が電子メールで送信されたとき、同第２の暗証番号を認識する。メモリ１５Ａは、マナーモードを解除するための第１の暗証番号を記憶する。制御部１７Ａは、制御部１７の機能に加え、特に、この実施形態では、データ通信制御部１８で認識された第２の暗証番号とメモリ１５Ａに記憶されている第１の暗証番号との一致／不一致を検出し、一致したときにマナーモードを解除してスピーカ１６に着信音を鳴動させる。また、第１及び第２の暗証番号は、発信者毎に個別に設定されている。また、マナーモードの解除の可／不可は、発信者毎に個別に設定され、かつ、発信者毎に優先順位が設定されている。他は、図１と同様の構成である。
【００３９】
図５は、携帯電話機１０Ａの動作を説明するためのフローチャートである。
この図を参照して、この形態の携帯電話機に用いられるマナーモード解除方法の処理内容について説明する。
この形態では、第１の実施形態を示す図２中の携帯電話機１０に代えて携帯電話機１０Ａが用いられ、かつ、フェーズＰ４における音声キーワードに代えて暗証番号が用いられる。すなわち、携帯電話機２０から発信され、マナーモードが設定された携帯電話機１０Ａに電波Ｗが着信する。すると、携帯電話機１０Ａから、マナーモードが設定されている旨及び同設定を解除するための暗証番号の入力を要求するアナウンスが携帯電話機２０へ送信される。携帯電話機２０では、このアナウンスが受信され、発信者に対応した暗証番号が入力されて携帯電話機１０Ａへ電子メールで送信される。
【００４０】
携帯電話機１０Ａでは、図５に示すように、発信者毎の設定状態が判別され（ステップＢ１）、送信された暗証番号に対し、設定されている優先順位に基づいてマナーモードの解除の可／不可が判定され、たとえば、パターン１の設定対応（ステップＢ２）においてマナーモードの解除が可で優先順位が１位であれば、１番目に解除される。この場合、暗証番号の１回の送信で解除される。また、パターン２の設定対応（ステップＢ３）においてマナーモードの解除が可で優先順位が２位であれば、２番目に解除される。この場合、暗証番号が２回送信されたときに解除される。パターンＮの設定対応（ステップＢ４）においてマナーモードの解除が不可の場合、この旨が発信側に通知されると共に、マナーモード再設定状態となる。また、第１の実施形態と同様に、ユーザの不在時に着信があった場合、又は未読メールがある場合、制御部１７Ａの指令により、スピーカ１６で着信音が鳴動する。
【００４１】
以上のように、この第２の実施形態では、マナーモードの解除の可／不可は、発信者毎に個別に設定され、かつ、発信者毎に優先順位が設定されているので、発信者が重要人物ではない場合や緊急時ではない場合には、マナーモードが解除されることが回避される。
【００４２】
以上、この発明の実施形態を図面により詳述してきたが、具体的な構成はこの実施形態に限られるものではなく、この発明の要旨を逸脱しない範囲の設計の変更などがあっても、この発明に含まれる。
たとえば、携帯電話機１０，１０Ａ，２０は、たとえばＰＤＡ（Ｐｅｒｓｏｎａｌ  Ｄｉｇｉｔａｌ  Ａｓｓｉｓｔａｎｔｓ  ）など、携帯電話機の機能を有するものであれば、任意のもので良い。また、ユーザの不在時に着信があった場合、又は未読メールがある場合、ユーザに通知する手段は、着信音の鳴動に限らず、たとえば、バイブレータによる振動でも良い。また、発信側の携帯電話機２０は、固定電話機でも良い。
【００４３】
【発明の効果】
以上説明したように、この発明の構成によれば、発信側に対して着信側の携帯電話機からマナーモード設定状態である旨を送信し、同発信側からマナーモード解除用のマナーモード解除信号（第２の音声キーワード、第２の暗証番号）が送信され、同マナーモード解除信号が正しいときにマナーモードを解除するので、発信側が特定人物で緊急の場合にのみ着信音が鳴動し、マナーモードが設定されているために重要な電話を逃してしまうという問題点を解消できる。また、ユーザの不在時に着信があった場合、又は未読メールがある場合、着信音が鳴動するので、重要な着信を逃してしまうという問題点を解消できる。また、マナーモードの解除の可／不可は、発信者毎に個別に設定され、かつ、発信者毎に優先順位が設定されているので、発信者が重要人物ではない場合や緊急時ではない場合には、マナーモードが解除されることを回避できる。
【図面の簡単な説明】
【図１】この発明の第１の実施形態である携帯電話機の電気的構成を示すブロック図である。
【図２】携帯電話機１０と携帯電話機２０との間のやりとりを示すシーケンス図である。
【図３】携帯電話機１０の動作を説明するためのフローチャートである。
【図４】この発明の第２の実施形態である携帯電話機の電気的構成を示すブロック図である。
【図５】携帯電話機１０Ａの動作を説明するためのフローチャートである。
【符号の説明】
１０，１０Ａ      携帯電話機
１１      アンテナ
１２，１２Ａ      無線部
１３      音声通話制御部
１４      音声認識部
１５，１５Ａ      メモリ（記憶部）
１６      スピーカ（鳴動部）
１７，１７Ａ      制御部
１８データ通信制御部（通信制御部）
【図１】
2004282651.tif 000003
【図２】
2004282651.tif 000004
【図３】
2004282651.tif 000005
【図４】
2004282651.tif 000006
【図５】
2004282651.tif 000007